(57)【特許請求の範囲】
【請求項１】
管状支柱の側面に設けられた取付孔にビームパイプの端部が隙間をあけて緩く挿通され、ビームパイプの端部は取付孔の上方に押し上げられて前記隙間はビームパイプの下方に形成され、その下方の隙間に、ビームパイプの全周に嵌挿されることなく前記下方の隙間の大部分を塞ぎ得るような両端部が細くなっている側面形状を有し且つ抜け止め突起を有する楔状のパイプ固定具が打ち込まれていることを特徴とするビームパイプの取付構造。
【請求項２】
楔状のパイプ固定具が、プラスチック成形体からなる請求項１に記載のビームパイプの取付構造。
【請求項３】
管状支柱及びビームパイプが、擬木模様を有するプラスチック被覆金属管からなる請求項１又は２に記載のビームパイプの取付構造。
【発明の詳細な説明】
【０００１】
【発明の属する技術分野】
本発明は、各種の防護柵に使用されるビームパイプの取付構造に関する。
【０００２】
【従来の技術】
一般の歩道や公園の遊歩道などには防護柵が設けられることが多い、この種の防護柵は、一般に管状支柱の側面に設けられた取付孔にビームパイプの端部が隙間をあけて緩く挿通され、その隙間にコーキング材が充填されるか或いは鍔付きの筒状部材が嵌挿されて構成されている。
【０００３】
管状支柱の取付孔にビームパイプを緩く挿通するのは、ビームパイプの挿通作業を容易に行うためである。また、取付孔とビームパイプとの隙間にコーキング材を充填したり或いは鍔付きの筒状部材を嵌挿するのは、隙間を隠すとともにビームパイプのがたつきや回転を抑えるためである。
【０００４】
【発明が解決しようとする課題】
ところが、このような従来のビームパイプの取付構造にあって、隙間にコーキング材を充填したものは、コーキング材の充填に熟練を要し作業が面倒である。しかも、ビームパイプとの接着性がわるく、また温度差による収縮などのために、コーキング材が外れることがあり、ビームパイプのがたつきや回転を完全に抑えることができない。
【０００５】
また、鍔付きの筒状部材を嵌挿したものは、管状支柱の取付孔に鍔付きの筒状部材をスムーズに挿入することが容易でなく、取付孔にうまく挿入できても、これにビームパイプを隙間なく挿通するのは難しく、ビームパイプのがたつきや回転を完全に抑えることができない。また、鍔付きの筒状部材が目立ちすぎて、外観もあまりよくない。
【０００６】
特に、公園の遊歩道などの防護柵には、景観のよい擬木模様を有するプラスチック被覆金属管からなるが管状支柱及びビームパイプが使用されることが多いが、この場合、表面が平滑でなく凹凸の擬木模様からなるので、この凹凸に邪魔されて、管状支柱の取付孔に鍔付きの筒状部材やビームパイプを挿通するのが非常に難しくなる。
【０００７】
本発明は、上記の問題を解決するもので、その目的とするところは、管状支柱の取付孔にビームパイプを簡単な手段でほほ隙間なく容易に挿通することができ、ビームパイプのがたつきや回転を完全に抑えることができるビームパイプの取付構造を提供することにある。
【０００８】
【課題を解決するための手段】
上記の目的を達成するために、本発明のビームパイプの取付構造は、管状支柱の側面に設けられた取付孔にビームパイプの端部が隙間をあけて緩く挿通され、ビームパイプの端部は取付孔の上方に押し上げられて前記隙間はビームパイプの下方に形成され、その下方の隙間に、ビームパイプの全周に嵌挿されることなく前記下方の隙間の大部分を塞ぎ得るような両端部が細くなっている側面形状を有し且つ抜け止め突起を有する楔状のパイプ固定具が打ち込まれている構成とした（請求項１の発明）。
【０００９】
また、上記構成において、楔状のパイプ固定具がプラスチック成形体からなる構成とした（請求項２の発明）。
【００１０】
さらに、上記構成において、管状支柱及びビームパイプが擬木模様を有するプラスチック被覆金属管からなる構成とした（請求項３の発明）。
【００１１】
【作用】
本発明によれば、管状支柱の取付孔とビームパイプとの間に形成される隙間に、楔状のパイプ固定具を打ち込むだけで隙間がパイプ固定具の側面形状の部分で塞がれるとともにビームパイプが固定され、それによりビームパイプのがたつきや回転が防止される。
【００１２】
しかも、楔状のパイプ固定具の抜け止め突起により、パイプ固定具が外れることも防止される。なお、楔状のパイプ固定具は、ビームパイプの全周に嵌挿する必要はないので、目立つことなく外観もよくなる。
【００１３】
特に、プラスチック成形体からなる楔状のパイプ固定具を用いると、これを隙間に打ち込む際にやや弾性変形し、取付孔とビームパイプとが強く締めつけられ、ビームパイプのがたつきや回転の防止がより良く防止される。
【００１４】
さらに、擬木模様を有するプラスチック被覆金属管からなる管状支柱及びビームパイプを用いる際にも、擬木模様の凹凸に邪魔されることなく、間隙にビームパイプが容易に挿通される。
【００１５】
【発明の実施の形態】
以下、図面に示す実施例を参照しながら、本発明を詳しく説明する。
図１の（イ）は本発明のビームパイプの接続構造の一例を示す一部切欠側面図、（ロ）は楔状のパイプ固定具の一例を示す斜視図である。
【００１６】
図１において、１０は管状支柱であって、この管状支柱１０の側面に取付孔１１が形成されている。そして、取付孔１１にビームパイプ２０の端部が隙間１２が形成されるように緩く挿通されている。
【００１７】
上記管状支柱１０及びビームパイプ２０は、鋼管やアルミニウム管のような金属管、これ等の金属管の表面に亜鉛メッキが施されたもの、プラスチックが被覆されたもの、塗装されたものが用いられる。特に、擬木模様を有するプラスチックを被覆した金属管からなるものは、景観の点から公園の遊歩道などの防護柵に好適である。
【００１８】
しかして、上記管状支柱１０の取付孔１１とビームパイプ２０との隙間１２には、楔状のパイプ固定具３０が打ち込まれている。この楔状のパイプ固定具３０は、図１の（ロ）に示すように、上記隙間１２の大部分を塞ぎ得る側面形状３１を有し且つ先端部に抜け止め突起３２を有する。
【００１９】
そして、この打ち込まれた楔状のパイプ固定具３０の側面形状３１により、隙間１２の大部分を塞がれ、また抜け止め突起３２により、楔状のパイプ固定具３０が隙間１２から外れないように止められる。
【００２０】
なお、側面形状３１の中央部には鍔部３３が形成されている。この鍔部３３は、楔状のパイプ固定具３０を隙間１２に打ち込む際の打面となるもので、側面形状３１の側面を打面とすることができるので、鍔部３３は形成されていなくてもよい。
【００２１】
上記楔状のパイプ固定具３０は、ポリカーボネート、ポリエチレン、ナイロン、ＡＢＳ樹脂などのプラスチック成形体や金属製のものが用いられる。特に、プラスチック成形体を用いると、隙間の形状に多少の凹凸があっても強く打ち込むことによりやや弾性変形し、取付孔とビームパイプとが強く締めつけられ、ビームパイプのがたつきや回転の防止がより良く防止される。
【００２２】
本発明のビームパイプの取付構造を得るには、先ず、取付孔１１を形成した管状支柱１０を地面に一定間隔をおいて立設する。そして、この管状支柱１０の取付孔１１に、ビームパイプ２０の端部を隙間１２が形成されるように緩く挿通し、止めピン４０によりビームパイプ２０の端部を止め、さらに管状支柱１０の頂部にキャップを被せる。
【００２３】
次に、図２に斜視図で示すように、管状支柱１０の取付孔１１とビームパイプ２０との隙間１２に、楔状のパイプ固定具３０の抜け止め突起３２の部分を挿し入れ、木製のハンマー等を用いて鍔部１２を叩きながら楔状のパイプ固定具３０を打ち込む。すると、楔状のパイプ固定具３０の側面形状３１の部分が隙間１２に入り込んで隙間１２の大部分が塞がれ、管状支柱１０の取付孔１１にビームパイプ２０の端部が堅く固定される。
【００２４】
なお、ビームパイプ２０は、管状支柱１０に一本だけ取り付けてもよいが、一般に管状支柱１０の上下に複数本が取り付けられる。また、楔状のパイプ固定具３０は、ビームパイプ２０の下方に隙間１２を形成し、この隙間１２に打ち込まれる。
【００２５】
また、楔状のパイプ固定具３０は、一般に水平に挿通したビームパイプ２０の隙間１２に打ち込まれるが、上下に勾配を付けて挿通したビームパイプ２０の隙間１２に打ち込むこともできる。この場合、楔状のパイプ固定具３０の側面形状３１の両端部（細くなっている部分）を少し切除して用いるのが好ましい。
【００２６】
【発明の効果】
上述の通り、本発明のビームパイプの取付構造によれば、管状支柱の取付孔にビームパイプを簡単な手段でほほ隙間なく容器に挿通することができ、ビームパイプのがたつきや回転を完全に抑えることができ、また外観も良い。
【００２７】
特に、本発明のビームパイプの取付構造は、擬木模様を有するプラスチック被覆金属管からなるが管状支柱を用いた公園の遊歩道など景観が要求される防護柵に適用すると有効である。
【図面の簡単な説明】
【図１】（イ）は本発明のビームパイプの取付構造の一例を示す一部切欠側面図、（ロ）は（イ）に用いる楔状のパイプ固定具の一例を示す斜視図である。
【図２】本発明のビームパイプの取付構造を得る手順を説明するめの一部切欠斜視図である。
【符号の説明】
１０    管状支柱
１１    取付孔
１２    隙間
２０    ビームパイプ
３０    楔状のパイプ固定具
３１    側面形状
３２    抜け止め突起
４０    止めピン
【図１】
0003665464.tif 000002
【図２】
0003665464.tif 000003